(57)【要約】      （修正有）【課題】挟んだ髪の毛に熱を均等に与えることができるストレートアイロンを提供する。【解決手段】発熱体で温熱板を加熱する上アイロン６を備えた上挟持体２と、前記上アイロン６に対向するように発熱体で温熱板を加熱する下アイロン１２を備えた下挟持体８と、前記上挟持体と前記下挟持体を回動可能に連結する主軸とからなり、前記上挟持体２に上アイロン６の前端部を支点として後端部を上下移動させる調整部１５を設けたことを特徴とするストレートアイロン１の構成とした。【選択図】図１
2011024674.tif 000002
【特許請求の範囲】
【請求項１】
発熱体で温熱板を加熱する上アイロンを備えた上挟持体と、前記上アイロンに対向するように発熱体で温熱板を加熱する下アイロンを備えた下挟持体と、前記上挟持体と前記下挟持体を回動可能に連結する主軸とからなり、前記上挟持体に上アイロンの前端部を支点として後端部を上下移動させる調整部を設けたことを特徴とするストレートアイロン。
【請求項２】
調整部が、螺旋状に回転して昇降するボルトと、前記ボルトが押し付ける上アイロンを反対側から支えるバネとからなり、前記上アイロンの上下移動を可能ならしめることを特徴とする請求項１に記載のストレートアイロン。
【請求項３】
調整部が、位置固定で回転可能なボルトと、前記ボルトに螺合し前記ボルトの回転に伴い昇降するナットと、前記ナットが押し付ける上アイロンを反対側から支えるバネとからなり、前記上アイロンの上下移動を可能ならしめることを特徴とする請求項１に記載のストレートアイロン。
【発明の詳細な説明】
【技術分野】
【０００１】
本発明は、熱により髪の毛を真っ直ぐに伸ばすためのストレートアイロンに関するものである。
【背景技術】
【０００２】
ヘアアイロンは、熱の力によって髪型を変えるために使う器具であり、巻き髪に整髪するためのカールアイロン、髪をまっすぐに伸ばすためのストレートアイロン、髪をジグザグの波形にするためのワッフルアイロンなどが従来技術として知られている。
【０００３】
特許文献１に記載されているように、Ｖ字型グリップのケース先端内側の片側又は両側に温熱板を有し、該温熱板を電気で加熱して挟持しながら髪の毛をウェーブ、真直又はカールするときに用いるヘアアイロンの発明も公開されている。
【発明の概要】
【発明が解決しようとする課題】
【０００４】
しかしながら、従来のストレートアイロンは、温まることによりボディ全体が徐々に外側へ反っていく性質があるため、熱を均等に与えることができず、髪を伸ばすのに長時間を要するようになり、髪にダメージを与えやすいという課題がある。
【０００５】
そこで、本発明は、挟んだ髪の毛に熱を均等に与えることができるストレートアイロンを提供することを目的とするものである。
【課題を解決するための手段】
【０００６】
上記の課題を解決するために、本発明は、発熱体で温熱板を加熱する上アイロンを備えた上挟持体と、前記上アイロンに対向するように発熱体で温熱板を加熱する下アイロンを備えた下挟持体と、前記上挟持体と前記下挟持体を回動可能に連結する主軸とからなり、前記上挟持体に上アイロンの前端部を支点として後端部を上下移動させる調整部を設けたことを特徴とするストレートアイロンの構成とした。
【発明の効果】
【０００７】
本発明は、ボディに反りが生じても上アイロンの傾きを調整することで熱を均等に与えることができるため、短時間で髪を伸ばすことが可能となり、髪にダメージを与えにくくなる。尚、ボディの反りとは関係なく、上アイロンを傾けての使用も可能である。
【図面の簡単な説明】
【０００８】
【図１】本発明であるストレートアイロンの斜視図である。
【図２】本発明であるストレートアイロンの開いた状態の側面図である。
【図３】本発明であるストレートアイロンの閉じた状態の側面図である。
【図４】本発明であるストレートアイロンの断面図である。
【図５】本発明であるストレートアイロンの上挟持部の分解図である。
【図６】本発明であるストレートアイロンの下挟持部の分解図である。
【図７】本発明であるストレートアイロンの上外枠の平面図及び底面図である。
【図８】本発明であるストレートアイロンの下外枠の平面図及び底面図である。
【図９】本発明であるストレートアイロンの上内板の平面図及び底面図である。
【図１０】本発明であるストレートアイロンの下内板の平面図及び底面図である。
【図１１】本発明であるストレートアイロンの上基材の正面図及び平面図である。
【図１２】本発明であるストレートアイロンの下基材の正面図及び平面図である。
【図１３】本発明であるストレートアイロンのボルト及びナットの平面図である。
【図１４】本発明であるストレートアイロンの上アイロンを上方修正した図である。
【図１５】本発明であるストレートアイロンの上アイロンを下方修正した図である。
【発明を実施するための形態】
【０００９】
本発明であるストレートアイロン１は、発熱体６ｂで温熱板６ａを加熱する上アイロン６を備えた上挟持体２と、上アイロン６に対向するように発熱体１２ｂで温熱板１２ａを加熱する下アイロン１２を備えた下挟持体８と、上挟持体２と下挟持体８を回動可能に連結する主軸１４ａとからなり、上挟持体２に上アイロン６の前端部を支点として後端部を上下移動させる調整部１５を設けたことを特徴とする。
【００１０】
尚、本発明の調整部１５は、螺旋状に回転して昇降するボルト１６と、前記ボルト１６が押し付ける上アイロン６を反対側から支えるバネ１５ａとからなり、前記上アイロン６の上下移動を可能ならしめることを特徴とする。
【００１１】
また、本発明の調整部１５は、回転可能なボルト１６と、ボルト１６に螺合しボルト１６の回転に伴い昇降するナット１７と、ナット１７が押し付ける上アイロン６を反対側から支えるバネ１５ａとからなり、上アイロン６の上下移動を可能ならしめることを特徴とする。
【実施例１】
【００１２】
図１は、本発明であるストレートアイロンの斜視図である。ストレートアイロン１は、上挟持体２と下挟持体８を接続部材１４で回動可能に連結したもので、対向する上挟持体２と下挟持体８を合わせるように回動させることで、髪の毛を挟むことができる。
【００１３】
上挟持体２の上アイロン６と下挟持体８の下アイロン１２を、制御部１８を操作して加熱することにより、髪型を変えることができる。尚、調整部１５を操作して、上挟持体２の角度を調整することも可能である。
【００１４】
図２は、本発明であるストレートアイロンの開いた状態の側面図である。図３は、本発明であるストレートアイロンの閉じた状態の側面図である。上挟持体２及び下挟持体８の後端部を接続部材１４で連結することで、先端部を開閉することができる。
【００１５】
上挟持体２は、先端部から後端部に至る上外枠３と、中央部から後端部手前に至る上内板５を合わせたものである。先端部の上面には上キャップ４を嵌め、先端部の下面には上アイロン６を取り付ける。また、調整部１５は上挟持体２に設ける。
【００１６】
下挟持体８は、先端部から後端部に至る下外枠９と、中央部から後端部に至る下内板１１を合わせたものである。先端部の下面には下キャップ１０を嵌め、先端部の上面には下アイロン１２を取り付ける。また、制御部１８は下挟持体８に設ける。
【００１７】
接続部材１４は、上挟持体２と下挟持体８を貫通する主軸１４ａ、主軸１４ａの両端を押さえる留具１４ｂ、上挟持体２と下挟持体８の可動範囲を制御すると共に緩衝するスプリング１４ｃからなる。
【００１８】
図４は、本発明であるストレートアイロンの断面図である。図５は、本発明であるストレートアイロンの上挟持部の分解図である。図６は、本発明であるストレートアイロンの下挟持部の分解図である。
【００１９】
上外枠３は、熱安定性に優れるポリブチレンテレフタレートを成形したボディの表面であり、上挟持体２の前面側から上面を渡って後面側まで延びる。尚、先端部から中央部にかけて上面には上キャップ４を嵌め込むための凹みが存在する。
【００２０】
上キャップ４は、熱安定性を改善したアセタール樹脂を成形したカバーで、強度や耐衝撃性を強くする。上キャップ４の下面に設けた嵌込片４ａを上外枠３に空けた嵌込孔３ｂに嵌め込んで取り付ける。
【００２１】
上内板５は、熱安定性に優れるポリブチレンテレフタレートを成形したボディの内面である。上挟持体２の先端部から中央部にかけては、上アイロン６が取り付けられるために空けられる。
【００２２】
上アイロン６は、上基材７、温熱板６ａ、発熱体６ｂ、支持材６ｃからなる。上基材７の下側に温熱板６ａを取り付け、温熱板６ａの上に発熱体６ｂを配して、上基材７と発熱体６ｂの間に支持材６ｃを介して、発熱体６ｂを温熱板６ａに押し付ける。
【００２３】
上アイロン６は、上基材７の後端部に延びる部分をナット収納室３ｇまで差し込み、上基材７の先端部に設けた突起７ａを上外枠３のアイロンハンガー３ｃに引っ掛け、上外枠３の下面のアイロン押さえ３ｄで上アイロン６の先端側を固定する。
【００２４】
尚、上基材７をナット収納室３ｇまで水平に差し込んだ際に、上外枠３と上内板５を接合するためのピンと、ナット収納室３ｇ内を垂直に通るボルト１６を避けるために、ピン穴７ｄ及びボルト穴７ｅを空けておく。
【００２５】
上基材７は、熱安定性に優れるポリブチレンテレフタレートを下面の空いた箱状に成形したものである。側面は温熱板６ａと同じ長さであるが、上面は後端部を延ばし、温熱板６ａよりも長くする。
【００２６】
温熱板６ａは、熱伝導性が良く展性に富むアルミニウムを薄い板状にしたもの、又は板材にアルミニウム箔をコーティングしたものであり、発熱体６ｂの熱を伝導することで全体が均一に加熱される。
【００２７】
発熱体６ｂは、電気エネルギーにより発熱する薄板である。誘電性を持ち、一定の温度に達すると電気抵抗値が急激に高くなって電流値が減るＰＴＣ効果を有するセラミック等を用いる。
【００２８】
支持材６ｃは、不動態被膜により耐食性の高いステンレスの板を山型に複数回折り曲げて弾力性を持たせることで、上基材７の内部に入れた際に、発熱体６ｂを温熱板６ａに密着させる。
【００２９】
下外枠９は、熱安定性に優れるポリブチレンテレフタレートを成形したボディの表面であり、下挟持体８の前面側から上面を渡って後面側まで延びる。尚、先端部から中央部にかけて下面は下キャップ１０を嵌めるための凹みが存在する。
【００３０】
下キャップ１０は、熱安定性を改善したアセタール樹脂を成形したカバーで、強度や耐衝撃性を強くする。下キャップ１０の上面に設けた嵌込片１０ａを下外枠９に空けた嵌込孔９ｂに嵌め込んで取り付ける。
【００３１】
下内板１１は、熱安定性に優れるポリブチレンテレフタレートを成形したボディの内面である。下挟持体８の先端部から中央部にかけては、下アイロン１２が取り付けられるために空けられる。
【００３２】
下アイロン１２は、下基材１３、温熱板１２ａ、発熱体１２ｂ、支持材１２ｃからなる。下基材１３の上側に温熱板１２ａを取り付け、温熱板１２ａの下に発熱体１２ｂをジグザグ状の支持材１２ｃで押し付ける。
【００３３】
下アイロン１２は、下基材１３の先端部に設けた突起１３ａを下外枠９のアイロンハンガー９ｃに引っ掛け、下基材１３の後端部に設けた突起１３ａを下内板１１のアイロンハンガー１１ｆに引っ掛ける。
【００３４】
そして、下アイロン１２の先端側は、下外枠９の上面に突出するアイロン押さえ９ｄで固定し、下アイロン１２の後端側は、下外枠９の上面に湾曲状に取り付けた板バネ９ｇにより弾力性を持たせた状態で支える。
【００３５】
下基材１３は、熱安定性に優れるポリブチレンテレフタレートを上面の空いた箱状に成形したものである。下基材１３の後端部の下面と下外枠９の上面との間には板バネ９ｇを設け、下アイロン１２の後端側を押さえると共に緩衝する。
【００３６】
温熱板１２ａは、熱伝導性が良く展性に富むアルミニウムを薄い板状にしたもの、又は板材にアルミニウム箔をコーティングしたものであり、発熱体１２ｂの熱を伝導することで全体が均一に加熱される。
【００３７】
発熱体１２ｂは、電気エネルギーにより発熱する薄板である。誘電性を持ち、一定の温度に達すると電気抵抗値が急激に高くなって電流値が減るＰＴＣ効果を有するセラミック等を用いる。
【００３８】
支持材１２ｃは、不動態被膜により耐食性の高いステンレスの板を山型に複数回折り曲げて弾力性を持たせることで、下基材１３の内部に入れた際に、発熱体１２ｂを温熱板１２ａに密着させる。
【００３９】
板バネ９ｇは、不動態被膜により耐食性の高いステンレスの板を湾曲させて弾力性を持たせたもので、下基材１３を押し上げて固定しつつ、下基材１３が上から押されても衝撃を和らげる。
【００４０】
主軸１４ａは、適度な強度を持つ黄銅を棒状にしたもので、上外枠３の後端部で下方に突出させた接続片３ｅと、下外枠９の後端部で上方に突出させた接続片９ｅとを重ねて、貫通孔３ｆと貫通孔９ｆを通し、両側を留具１４ｂで止める。
【００４１】
留具１４ｂは、熱硬化性のあるエポキシ樹脂を、主軸１４ａより径の大きい円盤状に加工したものである。主軸１４ａの両端に被せることで、主軸１４ａが見えないように隠すと共に、主軸１４ａが飛び出さないように押さえる。
【００４２】
未使用時は、上挟持体２と下挟持体８とが開いた状態を維持するように、上内板５の下面に設けたスプリング収納室５ａのスプリング孔５ｂと、下内板１１の上面に設けたスプリング収納室１１ａのスプリング孔１１ｂに、スプリング１４ｃの両端を固定する。
【００４３】
スプリング１４ｃは、不動態被膜により耐食性の高いステンレスの針金を螺旋状に巻いたコイルバネであり、使用時は弾性力により縮んで上挟持体２と下挟持体８を閉じることができ、未使用時は反発力により伸びて上挟持体２と下挟持体８を開かせる。
【００４４】
調整部１５は、回転可能なボルト１６と、ボルト１６に螺合しボルト１６の回転に伴い昇降するナット１７と、ナット１７が押し付ける上アイロン６を反対側から支えるバネ１５ａとからなる。
【００４５】
上外枠３内に設けたナット収納室３ｇにナット１７を螺合させたボルト１６を収納し、上内板５に設けたバネ収納室５ｃのバネ孔５ｄにバネ１５ａを収納する。尚、ボルト１６の上面をボルト孔３ｈから覗くことが可能である。
【００４６】
ボルト１６の上端部は縁をボルト押さえ３ｉで押さえ、ボルト１６の下端部はボルト支え５ｅで押さえることで、ボルト１６の動作は回転のみにする。また、ナット１７は上下移動のみする。
【００４７】
制御部１８は、電源のオンとオフを切り替えるスイッチ１８ａ、電源の状態を確認するランプ１８ｂ、電源から供給された電流を制御する回路が形成されたプリント基板１８ｃからなる。
【００４８】
下内板１１に設けたスイッチ孔１１ｃにスイッチ１８ａを取り付け、下内板１１に設けたランプ孔１１ｄにランプ１８ｂを取り付け、下内板１１の下側に設けた基板留め１１ｅにプリント基板１８ｃを取り付ける。
【００４９】
スイッチ１８ａは、熱安定性を改善したアセタール樹脂を円盤状にしたもので、回転させることで電気回路を繋いだり遮断したりする。下内板１１に取り付けて、電気エネルギーの供給と停止を制御する。
【００５０】
ランプ１８ｂは、透明性、耐衝撃性、耐熱性、耐燃性等において高い物性を有するポリカーボネート樹脂で電球を作り、下内板１１に取り付けて、スイッチ１８ａが入っているかどうか確認するために点灯させる。
【００５１】
プリント基板１８ｃは、電子部品を固定して配線した電子回路を構成する部品であり、下外枠９と下内板１１の間に設置する。直流と交流を変換したり、電圧を変換するなどして、発熱体６ｂ及び発熱体１２ｂの発熱を適正化する。
【００５２】
上挟持体２と下挟持体８を閉じたとき、上アイロン６及び下アイロン１２が上内板５及び下内板１１よりも突出しており、上内板５と下内板１１の間に隙間が存在していることから、下内板１１に設けることが可能である。
【００５３】
尚、調整部１５用のバネ収納室５ｃも上内板５を下方に突出させて設けており、スプリング１４ｃ用のスプリング収納室５ａ及びスプリング収納室１１ａも嵌合するように設けており、空間を有効に利用する。
【００５４】
図７は、本発明であるストレートアイロンの上外枠の平面図及び底面図である。尚、図７の上段の図は、上外枠３を上から見た平面図であり、図７の下段の図は、上外枠３を下から見た底面図である。
【００５５】
上外枠３には、先端部上面にキャップ取付部３ａ、前端部下面にアイロンハンガー３ｃ及びアイロン押さえ３ｄ、中央部下面にナット収納室３ｇの上側、後端部下面に接続片３ｅが設けられる。
【００５６】
キャップ取付部３ａは、上キャップ４の形状に合わせて凹みを形成し、上キャップ４の嵌込片４ａを通し引っ掛けるために嵌込孔３ｂを空ける。尚、上キャップ４は、上外枠３の上面のみの場合や、上面から前面にまで延びるものもある。
【００５７】
アイロンハンガー３ｃは、上アイロン６を引っ掛けるための出っ張りであり、アイロン押さえ３ｄは上アイロン６が上下に揺れないように支えるもので、アイロンハンガー３ｃとアイロン押さえ３ｄとで上アイロン６を固定する。
【００５８】
ナット収納室３ｇは、ナット１７が回転しないようにナット１７の形状にし、また、回転させ過ぎたボルト１６がボルト孔３ｈから飛び出さないように、ボルト孔３ｈの縁にボルト押さえ３ｉを形成する。
【００５９】
接続片３ｅは、側面より内側にするなど下外枠９の接続片９ｅと重ねられるように位置をずらす。尚、接続片３ｅは回動する際に下挟持体８に角が当たらないように、下端部を湾曲させる。
【００６０】
図８は、本発明であるストレートアイロンの下外枠の平面図及び底面図である。尚、図８の上段の図は、下外枠９を上から見た平面図であり、図８の下段の図は、下外枠９を下から見た底面図である。
【００６１】
下外枠９には、先端部下面にキャップ取付部９ａ、前端部上面にアイロンハンガー９ｃ及びアイロン押さえ９ｄ、中央部から先端寄りの上面に板バネ９ｇ、後端部上面に接続片９ｅが設けられる。
【００６２】
キャップ取付部９ａは、下キャップ１０の形状に合わせて凹みを形成し、下キャップ１０の嵌込片１０ａを通し引っ掛けるために嵌込孔９ｂを空ける。尚、下キャップ１０は、下外枠９の下面のみの場合や、下面から前面にまで延びるものもある。
【００６３】
アイロンハンガー９ｃは、下アイロン１２を引っ掛けるための出っ張りであり、アイロン押さえ９ｄは下アイロン１２が上下に揺れないように支えるもので、アイロンハンガー９ｃとアイロン押さえ９ｄとで下アイロン１２を固定する。
【００６４】
板バネ９ｇは、下外枠９と下アイロン１２の後端部の間に挟む弾性体であり、アイロン押さえ９ｄで固定するよりも柔軟性を持たせることが可能で、上挟持体２と下挟持体８の挟込みを良好に維持できる。
【００６５】
接続片９ｅは、側面寄りにするなど上外枠３の接続片３ｅと重ねられるように位置をずらす。尚、接続片９ｅは回動する際に上挟持体２に角が当たらないように、下端部を湾曲させる。
【００６６】
図９は、本発明であるストレートアイロンの上内板の平面図及び底面図である。尚、図９の上段の図は、上内板５を上から見た平面図であり、図９の下段の図は、上内板５を下から見た底面図である。
【００６７】
上内板５には、先端部上面にバネ収納室５ｃ、後端部下面にスプリング収納室５ａが設けられる。バネ収納室５ｃは、バネ１５ａの形状に合わせてバネ穴５ｄを空け、バネ穴５ｄの中央部はナット収納室３ｇのボルト１６を支えるためのボルト支え５ｅにする。
【００６８】
スプリング収納室５ａは、上内板５の下側に取り付けるスプリング１４ｃを収容するためにスプリング孔５ｂを設けたもので、上挟持体２と下挟持体８を閉じたときに、下内板１１のスプリング収納室１１ａが収まるように径を大きくする。
【００６９】
図１０は、本発明であるストレートアイロンの下内板の平面図及び底面図である。尚、図１０の上段の図は、下内板１１を上から見た平面図であり、図１０の下段の図は、下内板１１を下から見た底面図である。
【００７０】
下内板１１には、先端部にアイロンハンガー１１ｆ、中央部にスイッチ孔１１ｃ及びランプ孔１１ｄ、後端部上面にスプリング収納室１１ａ、先端部下面及び後端部下面に基板留め１１ｅが設けられる。
【００７１】
アイロンハンガー１１ｆは、下外枠９のアイロンハンガー９ｃと同様に、下アイロン１２を引っ掛けるための出っ張りであり、アイロンハンガー１１ｆと板バネ９ｇとで下アイロン１２を支える。
【００７２】
スイッチ孔１１ｃは、円盤状のスイッチ１８ａの一部を側面から出して指などで回転させられるようにした孔である。また、ランプ孔１１ｄは、ランプ１８ｂを上面に出すために空けた孔である。
【００７３】
スプリング収納室１１ａは、下内板１１の上側に取り付けるスプリング１４ｃを収容するためにスプリング孔１１ｂを設けたもので、上挟持体２と下挟持体８を閉じたときに、上内板５のスプリング収納室５ａに覆われるように径を小さくする。
【００７４】
基板留め１１ｅは、プリント基板１８ｃを下外枠９と下内板１１の間に支持するために、下内板１１の下方に突出させた部分である。その他、ピンを通すための孔などが形成される。
【００７５】
図１１は、本発明であるストレートアイロンの上基材の正面図及び平面図である。尚、図１１の上段左側の図は、上基材７を前から見た正面図であり、図１１の上段右側の図は、上基材７を上から見た正面図である。
【００７６】
上基材７は、上アイロン６を支持する部材であり、先端部には突起７ａを設け、後端部は後方に延長させ、ピン穴７ｄとボルト穴７ｅを空け、側面は下垂させ、レール７ｂを形成したもので、下側に空間７ｃが存在する。尚、後方に延長させた部分には撓る力が掛かるため、部分的に厚くするなどして補強しても良い。
【００７７】
図１１の下段に示すように、上アイロン６は、上基材７の両端のレール７ｂに温熱板６ａを引っ掛けるように取り付け、内部の空間７ｃに置いた発熱体６ｂを温熱板６ａに密着させることで製造できる。
【００７８】
図１２は、本発明であるストレートアイロンの下基材の正面図及び平面図である。尚、図１２の上段左側の図は、下基材１３を前から見た正面図であり、図１２の上段右側の図は、下基材１３を上から見た正面図である。
【００７９】
下基材１３は、下アイロン１２を支持する部材であり、先端部には突起１３ａを設け、後端部にも延長させずに突起１３ａを設け、側面は下垂させ、レール１３ｂを形成したもので、下側に空間１３ｃが存在する。
【００８０】
図１２の下段に示すように、下アイロン１２は、下基材１３の両端のレール１３ｂに温熱板２ａを引っ掛けるように取り付け、内部の空間１３ｃに置いた発熱体１２ｂを温熱板１２ａに密着させることで製造できる。
【００８１】
図１３は、本発明であるストレートアイロンのボルト及びナットの平面図である。尚、図１３の上段の図は、調整部１５を上から見た平面図であり、図１３の下段の図は、調整部１５を横から見た断面図である。
【００８２】
ボルト１６は、熱安定性を改善したアセタール樹脂を円柱状にし、上面に回転させるための十字状又はマイナス状のネジ穴１６ｂを空け、外周に螺旋状の雄ネジ１６ａを形成したもので、上外枠３と上内板５の間に配置し、位置は固定する。
【００８３】
ボルト１６の上面の縁には切欠き１６ｃを作り、切欠き１６ｃの部分を上外枠３のボルト押さえ３ｉで押さえる。ボルト押さえ３ｉとボルト支え５ｅとでボルト１６が上下に移動しないようにする。尚、ボルト１６の上部にナット１７が上に出過ぎないように押さえを設けることもできる。
【００８４】
ボルト１６の長さによっては、ボルト支え５ｅがなくても良い。また、ボルト１６の回転に伴うボルト支え５ｅとの間の摩擦を軽減等する目的で、ボルト１６の下端に逆ネジでナット状の部材を取り付けても良い。
【００８５】
ナット１７は、熱安定性を改善したアセタール樹脂を円筒状にし、内周に螺旋状の雌ネジ１７ａを形成し、ボルト１６に螺合させたもので、ボルト１６の回転に伴い上下に昇降させることで、上アイロン６の上基材７の延長した部分を上側から下方に押す。
【００８６】
バネ１５ａは、不動態被膜により耐食性の高いステンレスの針金を螺旋状に巻いたコイルバネであり、上内板５に設けたバネ穴５ｄに嵌め込むことで、上アイロン６の上基材７の延長した部分を常に下側から上方に押す状態にする。
【００８７】
尚、ナット１７を用いずナット収納室３ｇに雌ネジ１７ａを形成し、螺合させたボルト１６を回転させ昇降させることで、上アイロン６の上基材７の延長した部分を上側から下方に押すようにすることも可能である。
【００８８】
図１４は、本発明であるストレートアイロンの上アイロンを上方修正した図である。図１５は、本発明であるストレートアイロンの上アイロンを下方修正した図である。調整部１５は、上基材７の先端部を支点として後端部を上下に撓らせることができる。
【００８９】
上挟持体２が外側に反ってしまった場合、ボルト１６を回転させナット１７を上昇させると、上アイロン６の上基材７が上方に撓って温熱板６ａの後端部が凹み、傾きを調整することができる。
【００９０】
また、温熱板６ａの後端部側を強く挟みたい場合には、ボルト１６を逆方向に回転させナット１７を下降させれば、上アイロン６の上基材７が下方に撓って温熱板６ａの後端部を出すことができる。
【００９１】
尚、下アイロン１２については、後端部が板バネ９ｇで押さえられていることから、上アイロン６の後端部が突出していたとしても柔軟に受け止めることができ、全体として均等に挟むことが可能である。
【符号の説明】
【００９２】
１        ストレートアイロン
２        上挟持体
３        上外枠
３ａ      キャップ取付部
３ｂ      嵌込孔
３ｃ      アイロンハンガー
３ｄ      アイロン押さえ
３ｅ      接続片
３ｆ      貫通孔
３ｇ      ナット収納室
３ｈ      ボルト孔
３ｉ      ボルト押さえ
４        上キャップ
４ａ      嵌込片
５        上内板
５ａ      スプリング収納室
５ｂ      スプリング孔
５ｃ      バネ収納室
５ｄ      バネ孔
５ｅ      ボルト支え
６        上アイロン
６ａ      温熱板
６ｂ      発熱体
６ｃ      支持材
７        上基材
７ａ      突起
７ｂ      レール
７ｃ      空間
７ｄ      ピン穴
７ｅ      ボルト穴
８        下挟持体
９        下外枠
９ａ      キャップ取付部
９ｂ      嵌込孔
９ｃ      アイロンハンガー
９ｄ      アイロン押さえ
９ｅ      接続片
９ｆ      貫通孔
９ｇ      板バネ
１０      下キャップ
１０ａ    嵌込片
１１      下内板
１１ａ    スプリング収納室
１１ｂ    スプリング孔
１１ｃ    スイッチ孔
１１ｄ    ランプ孔
１１ｅ    基板留め
１１ｆ    アイロンハンガー
１２      下アイロン
１２ａ    温熱板
１２ｂ    発熱体
１２ｃ    支持材
１３      下基材
１３ａ    突起
１３ｂ    レール
１３ｃ    空間
１４      接続部材
１４ａ    主軸
１４ｂ    留具
１４ｃ    スプリング
１５      調整部
１５ａ    コイルバネ
１６      ボルト
１６ａ    雄ネジ
１６ｂ    ネジ穴
１６ｃ    切欠き
１７      ナット
１７ａ    雌ネジ
１８      制御部
１８ａ    スイッチ
１８ｂ    ランプ
１８ｃ    プリント基板
【先行技術文献】
【特許文献】
【００９３】
【特許文献１】特開２００４−２２３２９７号公報
【図１】
2011024674.tif 000003
【図２】
2011024674.tif 000004
【図３】
2011024674.tif 000005
【図４】
2011024674.tif 000006
【図５】
2011024674.tif 000007
【図６】
2011024674.tif 000008
【図７】
2011024674.tif 000009
【図８】
2011024674.tif 000010
【図９】
2011024674.tif 000011
【図１０】
2011024674.tif 000012
【図１１】
2011024674.tif 000013
【図１２】
2011024674.tif 000014
【図１３】
2011024674.tif 000015
【図１４】
2011024674.tif 000016
【図１５】
2011024674.tif 000017